(57)【要約】【課題】近年、液晶ディスプレイなどの表示装置は、大型化に移行してくるにしたがって机等の載置場所における台座の載置面積が大きくなってきており、表示装置を載置する載置場所の作業面積が小さくなってきている。本発明は、壁寄せした際に作業面積を十分に確保できる表示装置を得る事を目的とする。【解決手段】本発明に係る表示装置２０は、平面型の表示部４、表示部４を支持する支柱３、支柱３を固定する台座１５を備え、台座１５は設置面積が可変に構成される。【選択図】図２
2009258545.tif 000002
【特許請求の範囲】
【請求項１】
平面型の表示部と、
前記表示部を支持する支柱と、
前記支柱を固定する台座と、を備え、
前記台座は設置面積が可変である、
表示装置。
【請求項２】
前記台座は、前記支柱の後方において着脱する着脱部位を備える、
請求項１に記載の表示装置。
【請求項３】
前記台座は、前記着脱部位の奥行き寸法が前記支柱の前方の奥行き寸法の１／２以上である、
請求項２に記載の表示装置。
【請求項４】
前記台座は、前記支柱の後方において挿脱自在に内部に潜り込む挿入部位を備える、
請求項１に記載の表示装置。
【請求項５】
前記台座は、前記挿入部位が内部に潜り込んだ際外部方向に付勢する弾性体を備える、
請求項４に記載の表示装置。
【請求項６】
平面型の表示部と、
前記表示部を支持する支柱と、
前記支柱を固定する台座と、を備え、
前記台座は前記支柱の後方において可動部位を備える、
表示装置。
【請求項７】
前記可動部位は、前記台座の左右に設けられ軸を支点に回転する部材である、
請求項６に記載の表示装置。
【請求項８】
前記台座は、前記部材が回転した際前記部材が元の位置に戻るよう付勢する弾性体を備える、
前記請求項７に記載の表示装置。
【請求項９】
請求項１から請求項８のいずれかに記載の表示装置であって、前記支柱の背面は前記表示部の背面より前方に位置する、
表示装置。
【請求項１０】
請求項１から請求項９のいずれかに記載の表示装置であって、
前記支柱部と前記台座は取り外し可能であり、
前記表示部は前記支柱部と前記台座を収納する凹部を背面に備える、
表示装置。
【発明の詳細な説明】
【技術分野】
【０００１】
本発明は表示装置に関し、特に台座の設置に関する。
【背景技術】
【０００２】
近年、液晶ディスプレイなどの表示装置は、大型化に移行してくるにしたがって机等の載置場所における台座の載置面積が大きくなってきており、表示装置を載置する載置場所の作業面積が小さくなってきている。それに対し、特許文献１において、台座を前方に回転移動させることにより表示部を壁寄せできる表示装置が示されている。
【０００３】
【特許文献１】特開２００７−３１６２６２号公報
【発明の開示】
【発明が解決しようとする課題】
【０００４】
しかしながら、特許文献１の方法では壁寄せした際台座が前方に回転移動する構成であるため、壁寄せを行っても作業面積について十分に確保できない問題があった。
【０００５】
本発明は上述の問題を解決するためになされたものであり、壁寄せした際作業面積を十分に確保できる表示装置を得る事を目的とする。
【課題を解決するための手段】
【０００６】
本発明に係る表示装置は、平面型の表示部、表示部を支持する支柱、支柱を固定する台座を備え、台座は設置面積が可変に構成される。
【発明の効果】
【０００７】
本発明によれば、表示装置の台座の設置面積を可変としたため、液晶表示装置の表示部の背面に壁がある載置場所で壁寄せして使用する際、特に壁側の載置面積を調整し、載置場所の作業面積を広くできるという効果が得られる。
【発明を実施するための最良の形態】
【０００８】
以下、この発明をその実施の形態を示す図面に基づいて具体的に説明する。
【０００９】
図１は、本発明に係る表示装置２０の構成を示す正面図、図２は側面図を示す。
【００１０】
図１，２に示す通り、表示装置２０は、平面型の表示部４、表示部４を支持する支柱３、支柱３を固定する円形の台座１５より構成される。支柱３は台座１５と表示部４を接続する。また、台座１５は台座前部２と支柱３の後方において着脱する着脱部位１より構成され、着脱部位１は台座１５から取り外し可能な構成となっている。すなわち、台座１５は設置面積が可変である。
【００１１】
図３は、着脱部位１と台座前部２の構成の一例を示す図である。
【００１２】
台座前部２は、支柱３を取り付けるための支柱取り付け部２ａを備える。また、着脱部位１の台座前部２と接する側面には台座前部２と接続するための凸部１０が形成され、台座前部２の着脱部位１と接する側面には凸部１０が挿入される凹部１１が形成される。
【００１３】
図４は、角形の台座についてその接続構造を示す概略図である。図のように凸部１０が凹部１１に挿入される構成となっている。図５は、別の接続構造の一例を示す概略図である。図５のように、爪部１２を凹部１３に勘合する構成であってもよい。
【００１４】
表示装置２０について、壁寄せを行わず通常の設置を行う場合は、着脱部位１を台座前部２に接続させたまま、設置する。一方、図２にように壁寄せして設置する場合は、着脱部位１を取り外し、台座前部２のみで設置する。表示部４の背面は壁５と接するため、後方に転倒することはない。
【００１５】
このように、表示部４の背面に壁５があるような載置場所で使用の際、着脱部位１を台座１５から取り外し、壁寄せすることで、表示部４の前側の作業面積を広げることができる。
【００１６】
また図３に示すように、台座１５について、着脱部位１の奥行き寸法Ａは、支柱３の前方に配置される台座前部２の奥行き寸法Ｂの１／２以上の長さになる構成としている。これにより、壁寄せを行わず着脱部位１を接続して使用する場合の設置の安定性が確保される。
【００１７】
さらに、図２に示すように、支柱３の背面は表示部４の背面より前方に位置する構成にしても良い。このように、支柱３が表示部４の背面より飛び出ない構成にすることにより、表示部４の背面を壁５にぴったり寄せることができる。
【００１８】
図６，７は、本発明に係る台座１５の別の態様を示す図であり、台座１５及び支柱３を上面から見た図である。本態様においても表示装置２０は、平面型の表示部４、表示部４を支持する支柱３、支柱３を固定する台座１５より構成される。
【００１９】
本態様において台座１５は、台座前部２と、支柱３の後方において挿脱自在に内部に潜り込む挿入部位６により構成され、挿入部位６は台座前部２の内部に潜り込ませることができる構成となっている。すなわち、台座１５は設置面積が可変である。図６は潜り込ませていない状態、図７は潜り込ませた状態を示す。背面に壁がある場合、挿入部位６を台座前部２の中に潜り込ませることで台座１５をより壁に寄せることができ、作業面積を広げることができる。
【００２０】
なお、台座１５は挿入部位６が内部に潜り込んだ際外部方向に付勢する弾性体を備えていても良い。本態様においては、図８，９に示すようにバネ７が設置される。背面に壁がある場合、台座後部６は台座前部２の中に潜り込む（応じてバネ７が引き伸ばされる）が、背面に壁がない場合、バネ７の収縮により自動的に台座後部６が初期位置に戻ろうとし、表示部４の後ろ側への倒れを防止できる。
【００２１】
なお、図６〜図９では、挿入部位６、台座前部２とも四角形状と例にとって説明したが、これに限られるものではなく、例えば、円形状のような違う形状でも同様の効果が得られる。
【００２２】
図１０，１１，１２は、本発明に係る台座１５の別の態様を説明する図である。本態様においても表示装置２０は、平面型の表示部４、表示部４を支持する支柱３、支柱３を固定する台座１５より構成される。図１０は表示装置２０を壁際に寄せずに配置したときの状態を示す図であり、図１１は壁際に寄せて配置したときの図、図１２は本態様に係る台座１５を下部から見た図である。
【００２３】
本態様において、図１０に示すように台座１５は支柱３の後方において可動部位を備える。すなわち、図１０，１２に示すように、台座１５の左右に設けられ軸１４を支点に回転する部材８を備える。
【００２４】
図１０に示すように、背面に壁がない場所で使用する際には、部材８は背面方向に向くように設置される。一方図１１のように背面に壁がある載置場所で使用する際には、回転部材８が台座２の左右に側に設けられた軸１４を支点に外側に回転することで、壁寄せできる。
【００２５】
なお、本態様では回転部材８が外側に回転することを例にとって説明したが、これに限るものではなく、内側に回転することによっても同様の効果が得られる。
【００２６】
また、図１２に示すように、台座２０は自動的に部材８が初期位置、すなわち元の位置に戻るよう付勢するねじりコイルバネ９などの弾性体を備えていても良い。これにより、背面に壁がない場合表示部４の後ろ側への倒れを防止できる。
【００２７】
図１３，１４は、表示装置２０を輸送する際の梱包形態について、梱包サイズを小さくする構造を説明するための図である。図１３は表示部４の背面図、図１４は側面図を示す。
【００２８】
台座前部２および上述したその他の部材（着脱部位１、挿入部位６、回転部８）より構成される台座１５と支柱部３は、表示部４から取り外し可能な構成となっている。また、表示部４は台座１５と支柱部３を収納する凹部４ａを背面に備える。凹部４ａに収納することにより梱包サイズを小さくできる。
【００２９】
なお、台座前部２も着脱部位１や挿入部位６あるいは回転部８のように、着脱可能あるいは挿入可能あるいは回転可能な構造にすることによって更に収納サイズが小さくなり、梱包サイズをより小さくすることが可能である。
【図面の簡単な説明】
【００３０】
【図１】本発明に係る表示装置の構成を示す図である。
【図２】本発明に係る表示装置の構成を示す図である。
【図３】本発明に係る着脱部位を備える台座の構成を示す図である。
【図４】本発明に係る着脱部位を備える台座の接続部の構成を示す図である。
【図５】本発明に係る着脱部位を備える台座の接続部の構成を示す図である。
【図６】本発明に係る挿入部位を備える台座の構成を示す図である。
【図７】本発明に係る挿入部位を備える台座の構成を示す図である。
【図８】本発明に係る挿入部位を備える台座の構成を示す図である。
【図９】本発明に係る挿入部位を備える台座の構成を示す図である。
【図１０】本発明に係る回転部を備える表示装置の構成を示す図である。
【図１１】本発明に係る回転部を備える表示装置の構成を示す図である。
【図１２】本発明に係る回転部を備える台座の構成を示す図である。
【図１３】本発明に係る収納時の表示装置の構成を示す図である。
【図１４】本発明に係る収納時の表示装置の構成を示す図である。
【符号の説明】
【００３１】
１  着脱部位、２  台座前部、２ａ  支柱取り付け部、３  支柱、４  表示部、４ａ  背面凹部、５  壁、６  挿入部位、７  バネ、８  回転部、９  ねじりコイルバネ、１０，１３  凸部、１１，１３  凹部、１２  爪部、１４  軸、１５  台座、２０  表示装置。
【図１】
2009258545.tif 000003
【図２】
2009258545.tif 000004
【図３】
2009258545.tif 000005
【図４】
2009258545.tif 000006
【図５】
2009258545.tif 000007
【図６】
2009258545.tif 000008
【図７】
2009258545.tif 000009
【図８】
2009258545.tif 000010
【図９】
2009258545.tif 000011
【図１０】
2009258545.tif 000012
【図１１】
2009258545.tif 000013
【図１２】
2009258545.tif 000014
【図１３】
2009258545.tif 000015
【図１４】
2009258545.tif 000016